(57)【要約】【課題】一般の住居において水周りの室内、台所・洗面所・便所等は室内面積が小さく、また広さのわりに大きな移動できない機器類が設置されている。他の室内よりも清潔を要求されてはいるが汚れやすく、掃除する動作スペースが得られていないがために、極めて掃除がしにくい状況にある。【解決手段】直角に構成されている床と壁の間に、床と壁の面を延長した接線上に曲面を有した幅木材を取り付ける。また固定機器類の床固定部分を曲面でカバーする部材を提供することで、清掃しやすい室内を得る。【選択図】図４
2007032246.tif 000002
【特許請求の範囲】
【請求項１】
床と壁を、曲面あるいはぐう角で連続させ清掃しやすくしたことを特徴とする製品
【請求項２】
便器等移動ができない機器類の床接触部分を、曲面あるいはぐう角で連続させ清掃しやすくしたことを特徴とする製品
【発明の詳細な説明】
【技術分野】
【０００１】本発明は、掃除のしやすい建築部材に関する。
【背景技術】
【０００２】建築内部は特殊な意匠でない限り、水平の床と垂直の壁で構成され、それらの部位の接する部分は直角となり、天井側には天井廻り縁と称する部材で天井材と壁面材を納め、床側では、床面材と壁面材を隙間なく納めるため、また靴などが接触するため壁面強度の補完に、幅木と称する部材で構成される。図１。
【発明の開示】
【０００３】この発明は、清掃しやすい幅木等の部材を提供する。
【発明が解決しようとする課題】
【０００４】一般に幅木の角度は壁面と平行になり、床面から直角に立ち上がることとなる。そのために、幅木が接している床周辺には埃がたまりやすく、また台所や洗面室・便所などの水を使用する用途の室内にあっては、こぼれた水分が染み込み乾燥しにくい。清掃時にこれら直角の部位は、雑巾やモップなどもとどかず、汚れをふき取ることは出来ない。シート状の床材を壁の一部まで巻き上げ、幅木とする施工方法もあるが、主に防水が目的の施工方法であり、シートが鋭角に折れ曲がり清掃しやすい形状ではなかった。またその下地にも空隙があり防水性能も期待通りではない。
【課題を解決するための手段】
【０００５】図２は本案の基本的な考え方の断面である。１の幅木の床側端部は、床と同じ高さの面で始まり、壁側端部は壁と同じ面で連続させる、今まで直角な角度で接していた部分を滑らかな曲面で連続させる。また便所などの水周りに一般に用いられているシート状の床材は、図４のように、１の幅木部材を下地として隅部に水がたまらないように壁面の一部として曲面状に巻上げ、清掃を行いやすくする。
【０００６】室内の入り隅部分は、２方向からの幅木が接合する場所となるので、図６のように双方向の曲面が連続する入り隅部材を設ける。また、柱等や突き出し壁などがある場合に生じる出隅には図７のような出隅部材を設ける。
【０００７】水を多用する室内については各部材の取り合いを、透明シリコンシーリーングで空隙を塞ぐ。
【発明の効果】
【０００８】一般の住居において水周りの室内、台所・洗面所・便所等は室内面積が小さく、また広さのわりに移動できない機器類が設置されている。また、他の室内よりも清潔を要求されてはいるにもかかわらず、掃除する動作スペースが得られていないがために、極めて掃除がしにくい状況にある。本案によって直角な入り隅部分がなくなり、滑らかな連続した曲面とすることによって、一般のふき取り掃除用具で容易に清掃出来、不潔になりがちな部分を減らすことが出来る。
【発明を実施するための最良の形態】
【０００９】幅木の材質は表面に汚れが付着しにくい塗装や抗菌処理等を施した木製か、静電気防止や抗菌加工をしたプラスチック、あるいは磨き加工した石材あるいは金属等でも可能である。【００１０】さらに清掃時などに動かすことが出来ない便器などの機器類の固定部分の極めて掃除がしにくい部分には図８のような部材を供給することで、不潔になりやすい床の隅部をなくすことで、清掃しやすい室内を得ることが出来る。
【実施例】
【００１１】一般的な床材の室内には図２および図３の製品が適合する。一般製品として、幅木の材質は表面に汚れが付着しにくい塗装や抗菌処理等を施した木製か、静電気防止や抗菌加工をしたプラスチックで提供される。本製品の床側端部は床と同じ高さで取り付け、壁側端部は壁材が図２か図３のように収まるように取り付ける。室内の入り隅部分は、図６のように双方向の曲面が連続する入り隅部材を設ける。また、柱等や突き出し壁などがある場合に生じる出隅には図７のような出隅部材を設ける。これらによって床端部が清掃しやすくなる。【００１２】シート状床材の室内は図４の製品が適合し、最良の結果が得られる。
図４の１の部材を床下地と同じ高さで、壁側端部は壁材面から、シート状床材の厚みを考慮して奥に取り付ける。室内の入り隅部分は、図６のように双方向の曲面が連続する入り隅部材を設ける。また、柱等や突き出し壁などがある場合に生じる出隅には図７のような出隅部材を設ける。これを下地としてシート状床材端部を壁面の一部として曲面状に巻上げ、壁材と床材の接触線を２の幅木付属品で覆う。入り隅部分出隅部分は同質のシート状床材を形状に合わせて巻き上げ２の幅木付属品で覆う。これらによって床端部が清掃しやすくなり、湿潤な状態となっても十分な防水性能を持つ。図４【００１３】また、改装などによる場合、特に床まで張り替えずに幅木を改善する場合には、図５のように幅木だけを取替え、９の表面のシートを床の一部まで延長させ、床に相当する部分の裏面の接着剤で床に固定する。これらによって床端部が清掃しやすくなる。【００１４】図８の１４は便器などの機器類。１５は曲面部材、１６は曲面を維持保護し清掃が容易なシートである。１５の曲面部材は軟質ウレタンか、あるいは蛇腹加工がなされた硬質ウレタン等のプラスチックあるいは木材あるいは金属等の材質で、曲線に追従できるように加工された形状で提供され、床面および機器接触面には、接着剤あるいは両面テープ等が施されて固定される。１６は曲面に追従出来伸縮性に富んだプラスチックシートに接着剤あるいは両面テープ等が施されて固定される。これらによって機器据付部が、機器類の結露や液体状の汚れが付着した状態となっても清掃しやすくなる。図８【００１５】本発明では、布などのふき取り清掃器具等を繊維質のものを想定し、最良の結果が得られるとして曲面としているが、各面が４５度など９０度以下の角度の連続で構成される幅木も製品とすることが出来る。【００１６】また、この幅木の断面図３及び図４に示す２の幅木付属品を、電力や弱電の配線部材とすることもできる。
【図面の簡単な説明】
【００１７】
【図１】従来の断面幅木形状
【図２】本案の床材のある断面幅木形状
【図３】壁面納め材を分割した断面幅木形状
【図４】シート状床材の場合の断面幅木形状
【図５】改造等の場合の断面幅木形状
【図６】壁面入り隅部分の見通し図
【図７】壁面出隅部分の見通し図
【図８】便器等の固定物に対する部材
【符号の説明】
【００１８】１  幅木本体の断面
１‘  幅木調節部材の断面
２  幅木付属品断面
３  床材の断面
４  壁建材の断面
５  建具等の見切線
６  シート状床建材断面
７  幅木高さ調節材
８  床の構造面
８‘  床と壁の構造線
９  改装用幅木床連結粘着シートの断面
１０  入り隅部分の部材
１１  本案の連続した曲面
１２  壁同士の交線
１３  出隅部材
１４  便器等固定された機器
１５  曲面下地材
１６  曲面カバー材
【図１】
2007032246.tif 000003
【図２】
2007032246.tif 000004
【図３】
2007032246.tif 000005
【図４】
2007032246.tif 000006
【図５】
2007032246.tif 000007
【図６】
2007032246.tif 000008
【図７】
2007032246.tif 000009
【図８】
2007032246.tif 000010